(57)【特許請求の範囲】
【請求項１】
幅方向の両端部に内側に折れ曲がった部分を有する照明器具カバーに取り付られるランプホルダであって、
前記ランプホルダは、蛍光ランプを挟み込むように支持する線状支持部材と、該線状支持部材をはめ込む台座とを備え、前記台座は少なくとも一部が、一部が弓形に切断された円板状をなしており、
前記照明器具カバーの両端部の前記折れ曲がった部分内に、前記台座の円板状部の外周端部が挿入嵌合可能であるランプホルダ。
【請求項２】
請求項１記載のランプホルダにおいて、前記台座の蛍光ランプ配置側の面に対する裏面及び側面に溝を有し、この溝に前記線状支持部材がはめ込まれていることを特徴とするランプホルダ。
【請求項３】
請求項１又は２記載のランプホルダにおいて、前記台座の線状支持部材をはめ込む部分の厚さがそれ以外の部分よりも厚くなっていることを特徴とするランプホルダ。
【請求項４】
請求項１〜３のいずれか１項に記載のランプホルダが取り付られた照明器具カバーであって、
前記照明器具カバーは幅方向の両端部に内側に折れ曲がった部分を有しており、
前記両端部の前記折れ曲がった部分内に、前記台座の円板状部の外周端部が挿入嵌合されていることを特徴とする照明器具カバー。
【請求項５】
請求項１〜３のいずれか１項に記載のランプホルダを、幅方向の両端部に内側に折れ曲がった部分を有する照明器具カバーに取り付ける取付方法であって、
前記照明器具カバーの前記両端部の前記折れ曲がった部分の間に、前記ランプホルダを配置し、前記台座の円板状部の外周端部が前記照明器具カバーの前記両端部の内側に折れ曲がった部分内に挿入嵌合されるように、前記ランプホルダを回転させる取付方法。
【発明の詳細な説明】
【０００１】
【産業上の利用分野】
本発明は蛍光ランプを挟み込むように支持するランプホルダに関するものである。
【０００２】
【従来の技術】
従来、ランプホルダとしては、図８（ａ）に示すようなステンレス等の金属製ランプホルダ、図８（ｂ）に示すようなポリカーボネート等の透明樹脂製ランプホルダが用いられていた。そして、ランプホルダはその底部の開口部でネジ止めして取付けられていた。
【０００３】
【発明が解決しようとする課題】
しかしながら、図８（ａ）の金属製ランプホルダは熱に強く、耐光性に優れているが、ランプホルダ部分が蛍光ランプより放出される光を遮光してしまうために光の切れが生ずる。一方、図８（ｂ）の透明樹脂製ランプホルダは透光性を有するため光の切れは生じないが、耐光性に弱く、強い力を加えると割れてしまう場合があった。
【０００４】
【課題を解決するための手段】
本発明のランプホルダは、幅方向の両端部に内側に折れ曲がった部分を有する照明器具カバーに取り付られるランプホルダであって、
前記ランプホルダは、蛍光ランプを挟み込むように支持する線状支持部材と、該線状支持部材をはめ込む台座とを備え、前記台座は少なくとも一部が、一部が弓形に切断された円板状をなしており、
前記照明器具カバーの両端部の前記折れ曲がった部分内に、前記台座の円板状部の外周端部が挿入嵌合可能であるランプホルダである。
また本発明の照明器具カバーは、上記本発明のランプホルダが取り付られた照明器具カバーであって、
前記照明器具カバーは幅方向の両端部に内側に折れ曲がった部分を有しており、
前記両端部の前記折れ曲がった部分内に、前記台座の円板状部の外周端部が挿入嵌合されていることを特徴とする照明器具である。
また本発明の取付方法は、上記本発明のランプホルダを、幅方向の両端部に内側に折れ曲がった部分を有する照明器具カバーに取り付ける取付方法であって、
前記照明器具カバーの前記両端部の前記折れ曲がった部分の間に、前記ランプホルダを配置し、前記台座の円板状部の外周端部が前記照明器具カバーの前記両端部の内側に折れ曲がった部分内に挿入嵌合されるように、前記ランプホルダを回転させる取付方法である。
【０００５】
【作用】
本発明のランプホルダは、蛍光ランプを挟み込むように支持する線状支持部材と、該線状支持部材をはめ込む台座とに分離して、ランプホルダを構成することで、蛍光ランプを線状の支持部材で支持するようにして光の切れを防止するとともに、台座を耐光性，強度の優れた材料で構成することを可能としたものである。
【０００６】
なお、前記台座の蛍光ランプ配置側の面に対する裏面及び側面に溝を設け、この溝に前記線状支持部材をはめ込むようにすれば、線状支持部材が蛍光ランプ配置側に抜け出ることがなく、安定した蛍光ランプ支持ができる。
【０００７】
また、前記台座の線状支持部材をはめ込む部分の厚さをそれ以外の部分よりも厚くすれば、台座による線状支持部材の支持がより安定したものとなる。
【０００８】
さらに、前記台座の形状を、弓形に一部が切断された円板状とすれば、台座を回転させて、端部が内側に「コ」の字状に折れ曲がっている被取付け部に台座を嵌合させることができる。
【０００９】
【実施例】
以下、本発明の実施例について図面を用いて詳細に説明する。
【００１０】
図１（ａ）は本発明のランプホルダの一実施例の台座を示す斜視図であり、図１（ｂ）は台座に線状支持部材を取り付けたランプホルダの状態を示す斜視図である。図２及び図３は線状支持部材の台座への取付け方法を示す図である。
【００１１】
図１（ｂ）に示すように、ランプホルダは台座１と線状支持部材４とから構成され、台座１は図１（ａ）に示すように、台座１を照明器具カバーに取り付けるための取付け部１ａと、線状支持部材４をはめ込むためのはめ込み部１ｂとからなっている。台座１の蛍光ランプ配置側の面に対する裏面及び側面には「コ」の字状となるように溝３が設けられており、この溝に線状支持部材４の「コ」の字状の部分がはめ込まれる。線状支持部材４の台座１へのはめ込みは、図２に示すように、台座１に設けられた「コ」の字状の溝３に裏面部から線状支持部材４を挿入することで行われる。図３は線状支持部材４を台座にはめ込んだ状態を示す図である。なお、ここでは線状支持部材の一部（はめ込み部）を「コ」の字状に曲げ（図２のＣ部）、これに対応して台座に「コ」の字状の溝を設けているが、線状支持部材のはめ込み部の形状は「コ」の字状に限らず円弧状、三角状等、線状支持部材が安定して台座にはめ込み固定できる形状であればよく、この形状に対応して溝の形状も規定すればよい。
【００１２】
ランプホルダの照明器具カバーへの取付けは、図６に示すように、端部が内側に「コ」の字状に折れ曲がっている照明器具カバー５に、線状支持部材４が台座にはめ込まれた状態のランプホルダを配置し、ランプホルダのＡ部（図６に図示）が「コ」の字状に折れ曲がっている部分内に挿入嵌合されるように、ランプホルダをＸ方向に９０度回転させて、本実施例のランプホルダを照明器具カバーに取り付ける。ランプホルダを回転させて取り付けることができるのは、台座１の円板状の取付け部１ａの一部が弓形に切断されているので、照明器具カバー５内に配置でき、ランプホルダをＸ方向に回転させると、図６，図７に示すようにランプホルダのＡ部の凸部が照明器具カバー５のＢ部に挿入嵌合されて固定されるからである。
【００１３】
このような取付け方法によれば、止めネジがなくても照明器具カバーに固定することができ、照明器具カバーに対するランプホルダの着脱が容易となる。なお、台座１に設けられた開口部２を介して照明器具カバー５に止めネジ等で固定すればより強固に固定できることは言うまでもない。
【００１４】
線状支持部材４の材料としてはステンレス等の金属を用いることができる。台座１の材料としては、ステンレス等の金属、ＡＢＳ（アルキルベンゼンスルホン酸）樹脂等の合成樹脂を用いることができるが、蛍光ランプを支持する線状支持部材を十分に支持できる材料であればよい。
【００１５】
図４（ａ）は台座１を第３角投象図法で示した図、図４（ｂ）はその背面図である。なお、台座の形状は本実施例で示した形状に特に限定されるものではなく、線状支持部材が取付けられ、照明器具カバーに取付け可能であればよい。なお、線状支持部材の支持が可能ならば、図５に示すように台座の形状を平板状としてもよい。
【００１６】
【発明の効果】
以上説明したように、本発明によれば、線状支持部材で蛍光ランプが支持されるため、光の切れが生ずることがなく、台座に耐光性，強度に優れた材料を用いることができるという効果を生ずる。
【００１７】
また、前記台座の蛍光ランプ配置側の面に対する裏面及び側面に溝を設け、この溝に前記線状支持部材をはめ込むようにすれば、線状支持部材が蛍光ランプ配置側に抜け出ることがなく、安定した蛍光ランプ支持ができる。
【００１８】
さらに、前記台座の線状支持部材をはめ込む部分の厚さをそれ以外の部分よりも厚くすれば、台座による線状支持部材の支持がより安定したものとなる。
【００１９】
加えて、前記台座の形状を、弓形に一部が切断された円板状とすれば、台座を回転させて、端部が内側に「コ」の字状に折れ曲がっている被取付け部に嵌合させることができる。
【図面の簡単な説明】
【図１】（ａ），（ｂ）は本発明のランプホルダの一実施例の構成を示す斜視図である。
【図２】線状支持部材の台座への取付け方法を示す図である。
【図３】線状支持部材の台座への取付け方法を示す図である。
【図４】台座を第３角投象図法で示した図及び背面図である。
【図５】本発明に係わる台座の他の構成例を示す斜視図である。
【図６】ランプホルダの照明器具カバーへの取付け方法を示す説明図である。
【図７】ランプホルダを照明器具カバーへ取付けた状態を示す説明図である。
【図８】（ａ），（ｂ）は従来のランプホルダの構成を示す斜視図である。
【符号の説明】
１  台座
１ａ  取付け部
１ｂ  はめ込み部
２  開口部
３  溝
４  線状支持部材
５  照明器具カバー
【図１】
0003851667.tif 000002
【図２】
0003851667.tif 000003
【図３】
0003851667.tif 000004
【図４】
0003851667.tif 000005
【図５】
0003851667.tif 000006
【図６】
0003851667.tif 000007
【図７】
0003851667.tif 000008
【図８】
0003851667.tif 000009